(57)【要約】【課題】鳥の啄ばみによる損傷が発生し難く、碍子としての電気絶縁性能も確保できる鳥害防止ポリマー碍子を提供する。【解決手段】棒状（又は筒状）の芯体２の外周に、笠部４と胴部５を交互に有するゴム製の被覆体３を形成してなるポリマー碍子において、前記被覆体３の少なくとも笠部４の周縁部分を、ゴム材料に絶縁性補強繊維、絶縁性補強シート又はエポキシ樹脂を１種又は２種以上混合してなる強化ゴム材料７で形成したことを特徴とする。鳥が啄ばみやすい笠部４の周辺部分の強度が高まるので、鳥が啄ばめなくなる。【選択図】図１
2010010016.tif 000002
【特許請求の範囲】
【請求項１】
棒状又は筒状の芯体の外周に、笠部と胴部を交互に有するゴム製の被覆体を形成してなるポリマー碍子において、前記被覆体の少なくとも笠部の周縁部分を、ゴム材料に絶縁性補強繊維、絶縁性補強シート又はエポキシ樹脂を１種又は２種以上混合してなる強化ゴム材料で形成したことを特徴とする鳥害防止ポリマー碍子。
【請求項２】
棒状又は筒状のＦＲＰ製芯体の外周に、笠部と胴部を交互に有するゴム製の被覆体を形成してなるポリマー碍子において、前記被覆体の少なくとも笠部の周縁部分に、ゴム材料に絶縁性補強繊維、絶縁性補強シート又はエポキシ樹脂を１種又は２種以上混合してなる強化ゴム材料を被覆したことを特徴とする鳥害防止ポリマー碍子。
【請求項３】
ゴム材料に混合する絶縁性補強繊維又は絶縁性補強シートは、ゴム材料との接着性を向上させるための表面処理を施したものであることを特徴とする請求項１又は２記載の鳥害防止ポリマー碍子。
【請求項４】
前記被覆体の笠部の周辺部分の上面及び／又は下面に突起を形成したことを特徴とする請求項１ないし３のいずれかに記載の鳥害防止ポリマー碍子。
【請求項５】
筒状の芯体を有する請求項１ないし４のいずれかに記載の鳥害防止ポリマー碍子の、前記筒状の芯体内に限流素子ユニットが収容されていることを特徴とする鳥害防止ポリマー型避雷器。
【発明の詳細な説明】
【技術分野】
【０００１】
本発明は、鳥の啄ばみによる損傷を防止した鳥害防止ポリマー碍子及びポリマー型避雷器に関するものである。
【背景技術】
【０００２】
ポリマー碍子は、ＦＲＰ（繊維強化プラスチック）製の棒状又は筒状の芯体の外周に、笠部と胴部を交互に有するゴム製の被覆体を一体に形成したものである。このポリマー碍子は、被覆体がゴム製で強度的に弱いため、鳥（野生化したインコやカラス等）に啄まれて（特に笠部がつつかれやすい）、被覆体が損傷を受けるという問題が生じている。
【０００３】
上記の問題を解決するため、ポリマー碍子の被覆体の表面に鳥類忌避剤を塗布したり、被覆体のゴム材料に鳥類忌避剤を混合したりして、鳥が啄ばむのを防止した鳥害防止ポリマー碍子が提案されている（特許文献１）
【０００４】
なお、鳥の啄ばみによる損傷は、筒状の芯体の外周に笠部と胴部を交互に有するゴム製の被覆体を一体に形成し、前記筒状の芯体の中に限流素子ユニットを収容したポリマー型避雷器（特許文献２）においても同様に生じ得る。
【０００５】
【特許文献１】特開２００５−１４２１０６号公報
【特許文献２】特開平８−１４８３１１号公報
【発明の開示】
【発明が解決しようとする課題】
【０００６】
従来提案されている鳥害防止ポリマー碍子は、鳥類忌避剤として、唐辛子、生姜、わさび又はこれらから抽出される辛味成分、あるいはセンブリ、ニガキ、クララ又はこれらから抽出される苦味成分を使用するものである。つまり、従来の解決策は、鳥がポリマー碍子の被覆体を啄んでみて、辛味又は苦味を感じると、その後その鳥は被覆体を啄まなくなるという鳥の学習能力を利用するものである。したがって、どの鳥もいったんは被覆体を啄ばんでみることになるので、啄ばみによる損傷（痕跡）を生じさせなくすることは困難である。
【０００７】
また、従来の鳥害防止ポリマー碍子は、鳥類忌避剤として辛味又は苦味のある植物（ゴムより電気絶縁性が低い）を使用するものであるから、碍子としての電気絶縁性能の低下が懸念される。
【０００８】
本発明の目的は、鳥の啄ばみによる損傷がより発生し難く、碍子としての電気絶縁性能も確保できる鳥害防止ポリマー碍子及び鳥害防止ポリマー型避雷器を提供することにある。
【課題を解決するための手段】
【０００９】
上記目的を達成するため、本発明に係る鳥害防止ポリマー碍子は、棒状又は筒状の芯体の外周に、笠部と胴部を交互に有するゴム製の被覆体を形成してなるポリマー碍子において、前記被覆体の少なくとも笠部の周縁部分を、ゴム材料に絶縁性補強繊維、絶縁性補強シート又はエポキシ樹脂を１種又は２種以上混合してなる強化ゴム材料で形成したことを特徴とするものである。
【００１０】
また、本発明に係る鳥害防止ポリマー碍子は、棒状又は筒状のＦＲＰ製芯体の外周に、笠部と胴部を交互に有するゴム製の被覆体を形成してなるポリマー碍子において、前記被覆体の少なくとも笠部の周縁部分に、ゴム材料に絶縁性補強繊維、絶縁性補強シート又はエポキシ樹脂を１種又は２種以上混合してなる強化ゴム材料を被覆した構成とすることもできる。
【００１１】
また、本発明において、ゴム材料に混合する絶縁性補強繊維又は絶縁性補強シートは、ゴム材料との接着性を向上させるための表面処理を施したものであることが好ましい。
【００１２】
また、本発明に係る鳥害防止ポリマー碍子は、前記被覆体の笠部の周辺部分の上面及び／又は下面に突起を形成したものであることが好ましい。
【００１３】
また、本発明に係る鳥害防止ポリマー型避雷器は、筒状の芯体を有する上記の鳥害防止ポリマー碍子の、前記筒状の芯体内に限流素子ユニットが収容されていることを特徴とするものである。
【発明の効果】
【００１４】
本発明によれば、ポリマー碍子の被覆体の少なくとも笠部の周辺部分が絶縁性補強繊維等で強化された強化ゴム材料で形成されているので、被覆体の少なくとも笠部の周辺部分の機械的強度が高く、鳥が啄ばめないので、鳥の啄ばみによる損傷を防止することができる。また、絶縁性補強繊維等で強化された強化ゴム材料は、被覆体のゴム材料と同等の電気絶縁性能を有するので、碍子としての電気絶縁性能も確保できる。
【００１５】
また、被覆体の少なくとも笠部の周辺部分に、絶縁性補強繊維等で強化された強化ゴム材料を被覆した構成としても、同様の効果を得ることができる。
【００１６】
また、ゴム材料に混合する絶縁性補強繊維等に、ゴム材料との接着性を向上させるための表面処理を施しておけば、ゴム材料と絶縁性補強繊維等との接着性が高まり、より機械的強度を向上させることができる。
【００１７】
また、被覆体の笠部の周辺部分の上面及び／又は下面に突起を形成しておけば、鳥が嘴を開いて笠部の周辺部分に噛み付こうとしても突起が邪魔で噛み付き難くなるので、笠部の周辺部分の損傷をより確実に防止することができる。
【００１８】
また、本発明によれば、ゴム製の被覆体を有するポリマー型避雷器においても、上記と同様の効果を得ることができる。
【発明を実施するための最良の形態】
【００１９】
＜実施形態１＞  図１は本発明に係る鳥害防止ポリマー碍子の一実施形態を示す。図において、１はポリマー碍子、２Ａは棒状のＦＲＰ製芯体、３はその芯体２Ａの外周に一体に形成されたゴム製（例えばシリコーンゴム製）の被覆体である。被覆体３は通常の碍子のように笠部４と胴部５を交互に有するものである。芯体２Ａの両端には連結用の端末金具６が固定されている。
【００２０】
このポリマー碍子１の特徴は、被覆体３の笠部４の周縁部分を、ゴム材料に絶縁性補強繊維（ガラス繊維、ポリエステル繊維又はポリアミド繊維等）、絶縁性補強シート（ガラス繊維、ポリエステル繊維又はポリアミド繊維等で作られたシート）又はエポキシ樹脂を１種又は２種以上混合してなる強化ゴム材料７で形成したことである。被覆体３の笠部４の周縁部分は、最も鳥が啄ばみやすい部分であり、この部分を強化ゴム材料７で形成すると、その部分が硬く、千切れにくくなるため、鳥が啄ばめなくなり、鳥の啄ばみによる損傷を防止できる。笠部４の周縁部分に形成する強化ゴム材料７の幅は５〜１５mm程度にするとよい。
【００２１】
ゴム材料に混合する絶縁性補強繊維、絶縁性補強シートには、ゴム材料との接着性を向上させるための表面処理（例えばシリカカップリング）を施しておくことが好ましい。このようにすると、ゴム材料と絶縁性補強繊維又は絶縁性補強シートとの接着性が向上し、強化ゴム材料７の強度がより高まるので、鳥の啄ばみによる損傷をより確実に防止することができる。
【００２２】
なお、この実施形態では、被覆体３の笠部４の周縁部分を強化ゴム材料で形成したが、被覆体３全体を強化ゴム材料で形成してもよい。このようにすると、被覆体３全体を鳥の啄ばみから保護することができ、損傷防止効果がより確実になる。
【００２３】
また、この実施形態では、棒状の芯体２Ａを使用した場合を説明したが、この実施形態は芯体が筒状である場合にも同様に適用可能である。
【００２４】
＜実施形態２＞  図２は本発明に係る鳥害防止ポリマー碍子の他の実施形態を示す。図において、１はポリマー碍子、２Ｂは棒状のＦＲＰ製芯体、３はその芯体２Ｂの外周に一体に形成されたゴム製（例えばシリコーンゴム製）の被覆体である。被覆体３は通常の碍子のように笠部４と胴部５を交互に有するものである。芯体２Ｂの両端の端末金具６は図示を省略してある。
【００２５】
このポリマー碍子１の特徴は、被覆体３の笠部４の周縁部分に、ゴム材料に絶縁性補強繊維（ガラス繊維、ポリエステル繊維又はポリアミド繊維等）、絶縁性補強シート（ガラス繊維、ポリエステル繊維又はポリアミド繊維等で作られたシート）又はエポキシ樹脂を１種又は２種以上混合してなる強化ゴム材料７を被覆したことである。被覆体３の笠部４の周縁部分は、最も鳥が啄ばみやすい部分であり、この部分に強化ゴム材料７を被覆すると、その部分の表面が硬く、千切れにくくなるため、鳥が啄ばめなくなり、鳥の啄ばみによる損傷を防止できる。笠部４の周縁部分に被覆する強化ゴム材料７の幅は５〜１５mm程度にするとよい。
【００２６】
ゴム材料に混合する絶縁性補強繊維、絶縁性補強シートには、ゴム材料との接着性を向上させるための表面処理（例えばシリカカップリング）を施しておくことが好ましい。このようにすると、ゴム材料と絶縁性補強繊維又は絶縁性補強シートとの接着性が向上し、強化ゴム材料７の強度がより高まるので、鳥の啄ばみによる損傷をより確実に防止することができる。
【００２７】
なお、この実施形態では、被覆体３の笠部４の周縁部分に強化ゴム材料７を被覆したが、被覆体３全体に強化ゴム材料を被覆してもよい。このようにすると、被覆体３全体を鳥の啄ばみから保護することができ、損傷防止効果がより確実になる。
【００２８】
また、この実施形態では、筒状の芯体２Ｂを使用した場合を説明したが、この実施形態は芯体が棒状である場合にも同様に適用可能である。
【００２９】
＜実施形態３＞  図３は本発明に係る鳥害防止ポリマー碍子のさらに他の実施形態を示す。図３（Ａ）、（Ｂ）は図１（Ｂ）、（Ｃ）に対応する図面で、図３では図１（Ａ）に対応する図面は省略してある。この実施形態が、先に説明した実施形態１と異なる点は、強化ゴム材料７で形成された笠部４の周辺部分の上面に、周方向に適当な間隔をあけて、多数の突起８を形成したことである。それ以外の構成は、実施形態１と同じであるので、図１と同一部分には同一符号を付して説明を省略する。
【００３０】
上記のような突起８を形成すると、鳥が嘴を開いて笠部４の周辺部分に噛み付こうとしても突起８が邪魔で噛み付き難くなるので、笠部４の周辺部分の損傷をより確実に防止することができる。突起８の間隔は鳥（オウムやカラスなどの比較的大型の鳥）の嘴の幅より狭くすることが好ましい。
【００３１】
突起８を形成する場合には、電気絶縁性能上、突起８の上端とその上の笠部４との間隔を２０mm以上あけることが好ましい。
【００３２】
この実施形態では、突起８を笠部４の周辺部分の上面に形成したが、突起は笠部４の周辺部分の下面に形成してもよく、上面と下面の両方に形成してもよい。
【００３３】
また、この実施形態は、実施形態２のように、芯体が筒状である場合にも、また強化ゴム材料が笠部の周辺部分に被覆されている場合にも、同様に適用可能である。
【００３４】
＜実施形態４＞  図４は本発明に係る鳥害防止ポリマー型避雷器の一実施形態を示す。この鳥害防止ポリマー型避雷器１１は、図２のような筒状の芯体２Ｂを有する鳥害防止ポリマー碍子１の、筒状の芯体２Ｂ内に避雷器の限流素子ユニット１２を収容したものである。１３は限流素子ユニット１２の両端に設置された電極、１４は限流素子ユニット１２を加圧するバネである。ポリマー碍子１の構成は、図２に示したポリマー碍子１と同様であるので、同一部分には同一符号を付して説明を省略する。
【００３５】
ポリマー碍子内に限流素子ユニットを収容したポリマー型避雷器においても、鳥の啄ばみによるポリマー碍子の損傷は起こり得るので、ポリマー碍子１の被覆体３の少なくとも笠部４の周辺部分に強化ゴム材料７を被覆しておけば（あるいは少なくとも笠部４の周辺部分を強化ゴム材料７で形成しておけば）、鳥の啄ばみによるポリマー碍子の損傷を防止できる。
【図面の簡単な説明】
【００３６】
【図１】本発明に係る鳥害防止ポリマー碍子の一実施形態を示す、（Ａ）は一部切開正面図、（Ｂ）は（Ａ）のＢ−Ｂ線断面図、（Ｃ）は（Ｂ）のＣ−Ｃ線断面図。
【図２】本発明に係る鳥害防止ポリマー碍子の他の実施形態を示す、（Ａ）は一部切開正面図、（Ｂ）は（Ａ）のＢ−Ｂ線断面図、（Ｃ）は（Ｂ）のＣ−Ｃ線断面図。
【図３】本発明に係る鳥害防止ポリマー碍子のさらに他の実施形態を示す、（Ａ）は横断面図、（Ｂ）は（Ａ）のＢ−Ｂ線断面図。
【図４】本発明に係る鳥害防止ポリマー型避雷器の一実施形態を示す一部切開正面図。
【符号の説明】
【００３７】
１：鳥害防止ポリマー碍子    ２Ａ：棒状の芯体    ２Ｂ：筒状の芯体    ３：被覆体
４：笠部    ５：胴部    ６：端末金具    ７：強化ゴム材料    ８：突起
１１：鳥害防止ポリマー型避雷器    １２：限流素子ユニット    １３：電極
１４：バネ
【図１】
2010010016.tif 000003
【図２】
2010010016.tif 000004
【図３】
2010010016.tif 000005
【図４】
2010010016.tif 000006